(57)【要約】【課題】部品点数が少なく構造の簡素化された塗布容器を提案する。【解決手段】液状物を充填する容器本体（１）と、この容器本体（１）の液状物を排出する注出口（ｔ）を有し該注出口（ｔ）より排出された液状物を塗布する塗布部材（２）とを備えた塗布容器において、前記塗布部材（２）は、容器本体（１）の口部（１ａ）に保持され容器の内外に通じる通路（ｓ）を有する中栓（２ａ）と、この中栓（２ａ）の通路（ｓ）の出側末端にスライド可能に被さり該通路（ｓ）を経た液状物を注出口（ｔ）を通して外界に排出するノズル（２ｂ）と、前記中栓（２ａ）にノズル（２ｂ）を取り囲んで固定保持されその頭部で液状物を塗り込む塗布体（２ｃ）とにて構成し、前記ノズル（２ｂ）と塗布体（２ｃ）との相互間に、ノズル（２ｂ）の胴体周りの全域もしくは複数箇所にて一体的につながり該ノズル（２ｂ）を押し上げて注出口（ｔ）と通路（ｓ）とを連通させる弾性アーム（３）を設ける。【選択図】図１
2005239249.tif 000002
【特許請求の範囲】
【請求項１】
液状物を充填する容器本体と、この容器本体の液状物を排出する注出口を有し該注出口より排出された液状物を塗布する塗布部材とを備えた塗布容器であって、
前記塗布部材は、容器本体の口部に保持され容器の内外に通じる通路を有する中栓と、この中栓の通路の出側末端にスライド可能に被さり該通路を経た液状物を注出口を通して外界に排出するノズルと、前記中栓にノズルを取り囲んで固定保持されその頭部で液状物を塗り込む塗布体とからなり、
前記ノズルと塗布体との相互間に、ノズルの胴体周りの全域もしくは複数箇所にて一体的につながり該ノズルを押し上げて注出口と通路とを連通させる弾性アームを配設したことを特徴とする液状物の塗布容器。
【請求項２】
前記ノズルを弾性アームの押し上げ力に抗して中栓の出側末端に押しつけ該ノズルの注出口を中栓に密着させて閉状態に保持するキャップを有する請求項１記載の液状物の塗布容器。
【請求項３】
前記中栓の軸心に沿ってランダムに往復移動可能で、塗布体の後端部に衝突して該塗布体を振動させる振動部材を有する請求項１又は２に記載の液状物の塗布容器。
【請求項４】
前記ノズル、塗布体及び弾性アームがエラストマーからなる請求項１〜３の何れかに記載の液状物の塗布容器。
【発明の詳細な説明】
【技術分野】
【０００１】
本発明は、育毛剤等を液状物として充填し、この液状物を注出すると同時に塗り込むのに便利な塗布容器に関し、該容器の構造の簡素化を図ろうとするものである。
【背景技術】
【０００２】
育毛剤を入れるのに使用される容器は、ノズルの先端にコイルばねによって附勢された塗布部材を配置し、該塗布部材を頭皮に押しつけることでノズルを開放する同時に注出された液状物を頭皮に擦り込む構造のものが知られている（例えば、特許文献１参照）。
【０００３】
【特許文献１】特開平１１−１５７５８２号公報
【０００４】
ところで、従来の塗布容器では、部品点数を減らすとともに構造の簡素化を図って効率的な組立が行えることが望まれており、その改良が求められていた。
【発明の開示】
【発明が解決しようとする課題】
【０００５】
本発明の課題は、構造の簡素化、組立効率の改善を図ることができる新規な塗布容器を提案するところにある。
【課題を解決するための手段】
【０００６】
本発明は、液状物を充填する容器本体と、この容器本体の液状物を排出する注出口を有し該注出口より排出された液状物を塗布する塗布部材とを備えた塗布容器であって、
前記塗布部材は、容器本体の口部に保持され容器の内外に通じる通路を有する中栓と、この中栓の通路の出側末端にスライド可能に被さり該通路を経た液状物を注出口を通して外界に排出するノズルと、前記中栓にノズルを取り囲ん
で固定保持されその頭部で液状物を塗り込む塗布体とからなり、
前記ノズルと塗布体との相互間に、ノズルの胴体周りの全域もしくは複数箇所にてつながり該ノズルを押し上げて注出口と通路とを連通させる弾性アームを配設したことを特徴とする液状物の塗布容器である。
【０００７】
上記の構成になる塗布容器においては、前記ノズルを弾性アームの押し上げ力に抗して中栓の出側末端に押しつけ該ノズルの注出口を中栓に密着させて閉状態に保持するキャップを備えるのが好ましい。
【０００８】
また、該塗布容器には、前記中栓の軸心に沿ってランダムに往復移動可能で、塗布体の後端部に衝突して該塗布体を振動させる振動部材を設けることができる。
【０００９】
前記ノズル及び塗布体はエラストマーからなる請求項１〜３の何れかに記載の液状物の塗布容器。
【発明の効果】
【００１０】
ノズルと塗布体とを弾性アームを介して連結してこれらを中栓に配置した構造になっており、構造が簡単で組立易い。
【発明を実施するための最良の形態】
【００１１】
以下、図面を用いて本発明をより具体的に説明する。
図１、図２は本発明にしたがう塗布容器の実施の形態を示したものであり、図１は容器を含めた全体の断面図、図２は容器を拡大して示した断面図である。
【００１２】
図における１は液状物を充填する内部空間を有する容器本体、２は容器本体内１の液状物を排出するとともに排出した液状物を塗布する塗布部材である。
【００１３】
塗布部材２は容器本体１の口部１ａに嵌合保持され容器の内外に通じる通路ｓを有する中栓２ａと、この中栓２ａの通路ｓの出側末端にスライド可能に被さり該通路ｓを経た液状物を注出口ｔを通して外界に排出するノズル２ｂと、中栓２ａの基部にノズル２ｂを取り囲んで固定保持され頭部で液状物を塗り込む塗布体２ｃからなる。この塗布体２はその外観斜視図を図３に示すようにノズル２ｂの周囲で起立させた突起であり、中栓２ａの軸心を中心に４５°間隔で６本設けられているが、該塗布体２ｃの本数は任意に変更することができるもので１列のみならず２列以上もしくはランダムな配列を可能とする。
【００１４】
また、３は弾性アームである。この弾性アーム３はノズル２ｂと塗布体２ｃとの相互間で一体的につながり、図４（ａ）〜（ｃ）に示すようにキャップを取り外すことで塗布体２ｃを基点にしてその弾性力でノズル２ｂを押し上げて注出口ｔと通路ｓとを連通させる機能を有する（図４（ｂ）参照）とともに、上限位置では通路ｓをシールする構成となっている（図４（ｃ）参照）。
【００１５】
さらに、４はノズル２ｂを弾性アーム３の押し上げ力（弾性力）に抗して中栓２ａの出側末端に押しつけてノズル２ｂの注出口ｔを中栓２ａに密着させて閉状態に保持するキャップである。
【００１６】
本発明にしたがう塗布容器は、キャップ４を取り外すことで弾性アーム３によってノズル２ｂが押し上げられて、該ノズル２ｂが最上端に至るまでスライドする間に注出口ｔが開状態になる（ノズル２ｂが最上端から最下端に至るまでの間でスライドする場合にも同様に注出口ｔは開状態に保たれる。）もので、これらは一体成形になる１部材として構成することが可能であって従来のようなコイルばねは必要としない。また、容器を倒立させて液状物を排出するとき、塗布すべき部位（例えば、頭皮等）からノズル２ｂが離れても、弾性アーム３によってノズル２ｂが押し上げられ通路ｓがシールされるため液状物が垂れるようなことはなく、ノズル２ｂがスライドしている間に流入する量だけが排出されることになる。なお、用途等によって変化する液状物の排出必要量についてはノズル２ｂのスライド量を変更するだけでよく、これは当該パーツの変更のみで対応することができ、これにより各種用途への幅広い適用が可能となる。
【００１７】
弾性アーム３はノズルの胴体周りの全域でつながるスカート状のものでもよいし複数箇所でつながるものであってもよい。
【００１８】
塗布体２ｃは液状物を塗り込む際にマッサージできるものとしてエラストマーが好適であるが、弾性アーム３についてベンド効果を付与できるものであれば低密度ポリエチレンやゴムなど比較的軟質な他の樹脂を用いてもかまわない。
【００１９】
また、本発明の実施の形態では、塗布体２ｃを中栓２ａの基部外周でアンダーカット嵌合させた場合について示したが、該塗布体２ｃは中栓２ａの基部内周でアンダーカット嵌合させてもよいし、アンダーカット嵌合に代えて溶着、接着などの手段で固定することも可能である。
【００２０】
図５は本発明にしたがう塗布容器の他の実施の形態を示したものである。
この塗布容器は中栓２ａに塗布体２ｃの底面がわずかに露出する環状の凹部５を設け、この凹部５に振動部材（リング）６を配置した構造のものである。
【００２１】
上記の構成になる容器は、容器を繰返し反転させることで振動部材６を中栓２ａの軸心に沿ってランダムに往復移動させ塗布体２ｃの後端部（底面）と凹部５の底面に交互に衝突させてて音を発するとともに該塗布体２ｃを振動させることが可能であり、これによりマッサージ効果を高め得る。
【産業上の利用可能性】
【００２２】
部品点数が少なく構造の簡素化された塗布容器を提供できる。
【図面の簡単な説明】
【００２３】
【図１】本発明にしたがう塗布容器の実施の形態を示した図である。
【図２】図１の要部を拡大して示した図である。
【図３】塗布体の外観斜視図である。
【図４】（ａ）〜（ｃ）はキャップを取り外した状態において弾性アームによってノズルが押し上げられていく様子を示した図である。
【図５】本発明の他の実施の形態を示した図である。
【符号の説明】
【００２４】
１  容器本体
１ａ  口部
２  塗布部材
２ａ  中栓
２ｂ  ノズル
２ｃ  塗布体
３  弾性アーム
４  キャップ
５  凹部
６  振動部材
ｓ  通路
ｔ  注出口
【図１】
2005239249.tif 000003
【図２】
2005239249.tif 000004
【図３】
2005239249.tif 000005
【図４】
2005239249.tif 000006
【図５】
2005239249.tif 000007